(57)【特許請求の範囲】
【請求項１】
ダイキャスト製品（１）の成形時にダイキャスト製品（１）の筒状本体（１２）の円形端面（２）から連続して立ち上がり成形されるオーバーフロー部（３）の形状であって、
前記オーバーフロー部（３）は、前記ダイキャスト製品（１）の前記円形端面（２）の外周部形状に倣って湾曲し、該外周部形状部分と連続して形成される外周連続面（４）と、円形端面（２）から立ち上がる内周連続面（５）とを有する連続部（６）を有し、前記内周連続面（５）は平面部（７）が設けられた形状に形成されていることを特徴とするダイキャストのオーバーフロー部（３）形状。
【請求項２】
請求項１記載のダイキャストのオーバーフロー部（３）形状であって、
前記内周連続面（５）は、連続部（６）の周方向の中間部に平面状の平面部（７）が設けられ該平面部（７）の両側と外周連続面（４）とが曲面状の側部連続面（９）で形成されていることを特徴とするダイキャストのオーバーフロー部（３）形状。
【請求項３】
請求項１又は請求項２記載のダイキャストのオーバーフロー部（３）形状であって、
前記内周連続面（５）と前記円形端面（２）との連続部（６）は曲面で形成されていることを特徴とするダイキャストのオーバーフロー部（３）形状。
【発明の詳細な説明】
【技術分野】
【０００１】
本発明は、ダイキャスト製品に関し、特にダイキャスト製品の成型時にダイキャスト製品と一体に形成されるオーバーフロー部に関するものである。
【背景技術】
【０００２】
図３及び特許文献１に示すように従来のダイキャスト製品１００では、製品を製造する際に、キャビティ（製品成型部）に残ったガスをキャビティ外に排出して製品内にガスが残ることを防止するためのオーバーフロー部１０１がダイキャスト製品１００の端末に形成される。
【０００３】
図３に示すように、筒状に形成され中心に中空部１０２が形成されたダイキャスト製品１００のオーバーフロー部１０１は製品成型後、ダイキャスト製品１００からオーバーフロー部１０１を取り除く必要があり、ダイキャスト製品１００からオーバーフロー部１０１を取り除く際に作業者が木槌で叩くことによりダイキャスト製品１００からオーバーフロー部１０１を取り除いている。
【先行技術文献】
【特許文献】
【０００４】
【特許文献１】特開平６−１５４９８６
【発明の概要】
【発明が解決しようとする課題】
【０００５】
しかしながら作業者が木槌で叩いて取り除く際にオーバーフロー部１０１が製品に残ってしまったり、ダイキャスト製品１００の一部と一緒にオーバーフロー部１０１を取り除いてしまうという問題があった。
【０００６】
また、オーバーフロー部１０１をダイキャスト製品１００から取り除くめに特許文献１のようにオーバーフロー部１０１に切欠きを設けることが提案されているが、オーバーフロー部１０１に切欠きを設けることで、オーバーフロー部１０１の強度が非常に弱くなりオーバーフロー部１０１を取り除く以前の工程でオーバーフロー部１０１がダイキャスト製品１００から取り出され、取り除かれたオーバーフロー部１０１がダイキャストマシンに入り込みダイキャストマシンの故障を引き起こす等の問題があった。
【０００７】
そこで、本発明は、強度を有しつつダイキャスト製品からオーバーフロー部のみを取り除くことができるダイキャスト製品のオーバーフロー部を提供することを目的としている。
【課題を解決するための手段】
【０００８】
上記の課題を解決するために、請求項１に記載の発明は、ダイキャスト製品１の成形時にダイキャスト製品１の筒状本体１２の円形端面２から連続して立ち上がり成形されるオーバーフロー部３の形状であって、前記オーバーフロー部３は、前記ダイキャスト製品１の前記円形端面２の外周部形状に倣って湾曲し、該外周部形状部分と連続して形成される外周連続面４と、円形端面２から立ち上がる内周連続面５とを有する連続部６を有し、前記内周連続面５は平面部７が設けられた形状に形成されていることを特徴とする。
【０００９】
請求項２に記載の発明は、請求項１記載のダイキャストのオーバーフロー部３形状であって、前記内周連続面５は、連続部６の周方向の中間部に平面状の平面部７が設けられ該平面部７の両側と外周連続面４とが曲面状の側部連続面９で形成されていることを特徴とする。
【００１０】
請求項３に記載の発明は、請求項１又は請求項２記載のダイキャストのオーバーフロー部３形状であって、前記内周連続面５と前記円形端面２との連続部６は曲面で形成されていることを特徴とする。
【発明の効果】
【００１１】
本発明によれば、オーバーフロー部３に、ダイキャスト製品１の内周連続面５に平面部７が設けられた易破断形状に形成されていることにより、オーバーフロー部３のみをダイキャスト製品から取り除くことができる。
【００１２】
また、内周連続面５が連続部６の周方向の中間部に平面状の平面部７が設けられ該平面部７の両側と外周連続面４とが曲面状の側部連続面９で形成されているので、オーバーフロー部３の強度を保つことができ、オーバーフロー部３を取り除く以前の工程でオーバーフロー部３がダイキャスト製品１から欠落することを防止することができる。
【図面の簡単な説明】
【００１３】
【図１】本発明のダイキャストの簡略断面図。
【図２】（ａ）ダイキャスト製品の上面図、（ｂ）（ａ）のＡ矢視図、（ｃ）（ａ）の断面Ｂ−Ｂ断面矢視図。
【図３】（ａ）従来のダイキャスト製品の上面図、（ｂ）（ａ）のＡ矢視図、（ｃ）（ａ）のＢ−Ｂ断面矢視図。
【発明を実施するための形態】
【００１４】
以下、本発明の実施の形態について、図１，２を用いて詳細に説明する。
【実施例１】
【００１５】
図１に示すように、ダイキャスト製品１は、上方Ｘ方向にスライドする金型Ｃ１及び左右Ｙ、Ｚ方向に開く金型Ｃ２、Ｃ３によって形成されるダイキャスト製品１製造部分にアルミの溶湯を流し込むことで成型される。
【００１６】
図１及び図２に示すように、本実施形態のダイキャスト製品１は、中心に中空部１１が形成された筒状本体１２と、この筒状本体の一側を閉塞するように形成された筒状本体支持部１３とで形成され、筒状本体１２の円形端面２から連続して立ち上がり、筒状本体１２と一体にオーバーフロー部３が形成されている。
【００１７】
オーバーフロー部３は、ダイキャスト製品１の円形端面２から突出するオーバーフロー部本体１４とオーバーフロー部本体１４とダイキャスト製品１とを連結する曲面で形成された連続部６とから構成されており、この連続部６は、オーバーフロー部３がダイキャスト製品１から意図しない工程で欠落することを防止するための強度を確保している。
【００１８】
この連続部６は、ダイキャスト製品１の円形端面２の外周形状に倣って同芯円状に湾曲して形成される外周連続面４とダイキャスト製品１の円形端面２から曲面を経て立ち上がる内周連続面５とから構成されている。連続部６が曲面によって形成されているため、オーバーフロー部３は強度を保つことができる。
【００１９】
内周連続面５は、連続部６の周方向の中間部に平面状に形成された平面部７と平面部７の両端側と外周連続面４とを結ぶ曲面状の側部連続面９とから構成されている。
【００２０】
本実施例によれば、内周連続面５に平面部７を設けることにより、作業者が容易にダイキャスト製品１からオーバーフロー部３を取り除くことができ、かつ、意図しない工程でオーバーフロー部３がダイキャスト製品１から欠落することを防止することができる。また、円形端面２と内周連続面５との間に連続して設けられた連続部６によって、オーバーフロー部３の強度をより補強することができる。
【００２１】
また、内周連続面５に平面部７を設け、従来のオーバーフロー部３の断面積を変えることなくオーバーフロー部３を形成することで作業者が容易にオーバーフロー部３を取り除くことができるので、オーバーフロー部３の一部と一緒にダイキャスト製品１を取り除くことなく、確実にオーバーフロー部３のみを取り除くことができる。
【００２２】
さらに、内周連続面５に平面部７を設けたことにより、内周連続面５と外周連続面４のどちらを木槌で叩いても容易にオーバーフロー部３のみを取り除くことができる。
【００２３】
なお、本実施例では、オーバーフロー部３は、ダイキャスト製品１の円形端面２に２箇所設けられているが、３箇所以上であっても良い。
【産業上の利用可能性】
【００２４】
本発明は、ダイキャスト製品のオーバーフロー部、特に、円形端面から突出するオーバーフロー部に有効に利用することができる。
【符号の説明】
【００２５】
１  ダイキャスト製品
２  円形端面
３  オーバーフロー部
４  外周連続面
５  内周連続面
６  連続部
７  平面部
【図１】
0005691480.tif 000002
【図２】
0005691480.tif 000003
【図３】
0005691480.tif 000004